(57)【特許請求の範囲】
【請求項１】
発電要素を含み扁平に形成した電池本体と、前記電池本体から導出した電極タブと、を備えた単電池を、その厚み方向に複数枚積層してなり、前記電極タブの先端部が前記単電池の積層方向に沿って屈折されている電池群と、
前記単電池の前記電極タブの前記先端部に向かい合った状態で前記先端部に接合し、少なくとも２つの前記単電池の前記電極タブ同士を電気的に接続する平板状のバスバと、を有し、
前記電池群は、積層した前記単電池の前記電極タブ同士の間に配設するスペーサを有し、
前記電極タブは、基端部に積層方向に沿って開口した孔を備え、
前記スペーサは、前記電極タブに前記バスバと反対側から当接して前記電極タブの前記先端部を支持する支持部と、前記電極タブの前記孔に挿通して前記電極タブをガイドするリブと、を備え、
前記電極タブの前記孔は、前記バスバに向かい合う方向に沿って長尺形状に形成してなる組電池。
【請求項２】
前記電極タブの前記孔は、前記先端部まで延在してなる請求項１に記載の組電池。
【請求項３】
前記スペーサは、前記電極タブの前記先端部と前記基端部との境界に対面する部分をアール面取りして形成したアール形状部を備えてなる請求項１または２に記載の組電池。
【請求項４】
発電要素を含み扁平に形成した電池本体と、前記電池本体から導出した電極タブと、を備えた単電池を、その厚み方向に複数枚積層してなり、前記電極タブの先端部が前記単電池の積層方向に沿って屈折されている電池群と、
前記単電池の前記電極タブの前記先端部に向かい合った状態で前記先端部に接合し、少なくとも２つの前記単電池の前記電極タブ同士を電気的に接続する平板状のバスバと、
積層する前記単電池の前記電極タブ同士の間に配設し、前記電極タブに前記バスバと反対側から当接して前記電極タブの前記先端部を支持する支持部と、前記電極タブの孔に挿通して前記電極タブをガイドするリブと、を備えたスペーサと、を用い、
前記バスバと、各々の前記電極タブの前記先端部と、を積層方向と交差する方向に沿って相対的に移動させつつ、積層方向に沿って互いの位置を揃えた各々の支持部に対して各々の前記電極タブの前記先端部を当接させてから、前記バスバと、少なくとも２つの前記単電池の前記電極タブの前記先端部と、を互いに溶接する組電池の製造方法。
【請求項５】
前記孔が前記バスバに向かい合う方向に沿って長尺形状に形成された前記バスバを用い、
前記電極タブと前記スペーサとを当接させ、かつ、前記電極タブの前記孔の内周面と、前記スペーサの前記リブの外周面と、を積層方向と交差した方向に沿って当接させつつ、前記電極タブを移動させる請求項４に記載の組電池の製造方法。
【発明の詳細な説明】
【技術分野】
【０００１】
本発明は、単電池を複数枚積層した組電池および組電池の製造方法に関する。
【背景技術】
【０００２】
従来から、単電池を複数枚積層した組電池がある（特許文献１参照）。単電池は、電力を入出力する電極タブを備えている。各々の単電池の電極タブは、導電性を備えたバスバによって電気的に接続している。
【０００３】
特許文献１において、単電池の電極タブは、単電池の積層方向と直交する方向に突出している。一方、バスバは、各々の電極タブを積層方向に沿って独立して挟持するように、積層方向と直交する方向に対して波状に形成した凹部と凸部を備えている。各々の単電池の電極タブは、バスバの複数の凹部に独立して挿入した状態において、バスバと接合している。
【先行技術文献】
【特許文献】
【０００４】
【特許文献１】特表２０１２−５１５４１８号公報
【発明の概要】
【発明が解決しようとする課題】
【０００５】
特許文献１の構成では、積層する各々の単電池の厚みにばらつきが生じている場合、各々の単電池の電極タブの位置とバスバの凹部の位置とが相対的にずれてしまう。さらに、各々の単電池の電極タブの先端部の位置が積層方向と交差する方向に沿ってばらついている場合、各々の単電池の電極タブの先端部の位置とバスバの凹部の位置とが相対的にずれてしまう。このような場合、バスバの凹部に十分に挿入できない電極タブが発生する。当該電極タブは、バスバとの接合が不十分となり、導電性が確保できない虞がある。
【０００６】
本発明の目的は、各々の単電池の電極タブとバスバとを十分に導電させることができる組電池および組電池の製造方法を提供することにある。
【課題を解決するための手段】
【０００７】
上記目的を達成するための本発明の組電池は、電池群と、バスバと、スペーサと、を有する。電池群は、発電要素を含み扁平に形成した電池本体と、前記電池本体から導出した電極タブと、を備えた単電池を、その厚み方向に複数枚積層してなり、前記電極タブの先端部が前記単電池の積層方向に沿って屈折されている。バスバは、平板状からなり、前記単電池の前記電極タブの前記先端部に向かい合った状態で前記先端部に接合し、少なくとも２つの前記単電池の前記電極タブ同士を電気的に接続する。スペーサは、積層した前記単電池の前記電極タブ同士の間に配設する。前記電極タブは、基端部に積層方向に沿って開口した孔を備えた。前記スペーサは、前記電極タブに前記バスバと反対側から当接して前記電極タブの前記先端部を支持する支持部と、前記電極タブの前記孔に挿通して前記電極タブをガイドするリブと、を備えた。前記電極タブの前記孔は、前記バスバに向かい合う方向に沿って長尺形状に形成してなる。
【０００８】
上記目的を達成するための本発明の組電池の製造方法は、電池群と、バスバと、スペーサと、を用いる。電池群は、発電要素を含み扁平に形成した電池本体と、前記電池本体から導出した電極タブと、を備えた単電池を、その厚み方向に複数枚積層してなり、前記電極タブの先端部が前記単電池の積層方向に沿って屈折され、前記電極タブの基端部に孔が備えられている。バスバは、平板状からなり、前記単電池の前記電極タブの前記先端部に向かい合った状態で前記先端部に接合し、少なくとも２つの前記単電池の前記電極タブ同士を電気的に接続する。スペーサは、積層する前記単電池の前記電極タブ同士の間に配設し、前記電極タブに前記バスバと反対側から当接して前記電極タブの前記先端部を支持する支持部と、前記電極タブの孔に挿通して前記電極タブをガイドするリブと、を備えた。この組電池の製造方法では、前記バスバと、各々の前記電極タブの前記先端部と、を積層方向と交差する方向に沿って相対的に移動させつつ、積層方向に沿って互いの位置を揃えた各々の支持部に対して各々の前記電極タブの前記先端部を当接させてから、前記バスバと、少なくとも２つの前記単電池の前記電極タブの前記先端部と、を互いに溶接する。
【発明の効果】
【０００９】
上記のように構成した組電池および組電池の製造方法によれば、各々の電極タブの先端部に向かい合うようにバスバを配置し、スペーサのリブによって電極タブの孔を介して電極タブの位置を規制しつつガイドする。このようにすれば、各々の単電池の積層方向に交差した方向に沿った位置のばらつきに起因して、各々の電極タブの相対的な位置がずれていたとしても、各々の電極タブとバスバとを、各々のスペーサの支持部に沿って十分に接触させることができる。したがって、組電池および組電池の製造方法によれば、各々の単電池の積層方向と交差した方向に沿った位置のばらつきに依存することなく、各々の単電池の電極タブとバスバとを十分に導電させることができる。
【図面の簡単な説明】
【００１０】
【図１】実施形態に係る組電池を示す斜視図である。
【図２】図１に示される組電池から上部加圧板と下部加圧板および左右の側板を分解して保護カバーを取り付けた状態の積層体全体を露出させた状態を示す斜視図である。
【図３】図２に示される積層体から保護カバーを取り外し、かつ、積層体を電池群とバスバユニットに分解して示す斜視図である。
【図４】図３に示されるバスバユニットを分解して示す斜視図である。
【図５】第１セルサブアッシ（３組毎に並列接続する単電池）のアノード側電極タブと第２セルサブアッシ（３組毎に並列接続する単電池）のカソード側電極タブをバスバによって接合する状態を模式的に分解して示す斜視図である。
【図６】図６（Ａ）は、単電池に一対のスペーサ（第１スペーサおよび第２スペーサ）を取り付けた状態を示す斜視図、図６（Ｂ）は、単電池に一対のスペーサ（第１スペーサおよび第２スペーサ）を取り付ける前の状態を示す斜視図である。
【図７】一対のスペーサ（第１スペーサおよび第２スペーサ）を示す斜視図である。
【図８】図８（Ａ）は、積層した単電池の電極タブにバスバを接合した状態の要部を断面で示す斜視図、図８（Ｂ）は、図８（Ａ）を側方から示す側面図である。
【図９】図８（Ｂ）中に示す領域９を拡大した側面図である。
【図１０】実施形態に係る組電池の製造方法を示す図であって、組電池を構成する部材を載置台に対して順に積層している状態を模式的に示す斜視図である。
【図１１】図１０に引き続き、組電池の構成部材を上方から押圧している状態を模式的に示す斜視図である。
【図１２】図１１に引き続き、側板を上部加圧板および下部加圧板に対してレーザ溶接している状態を模式的に示す斜視図である。
【図１３】図１２に引き続き、電池群にバスバユニットの一部の部材を取り付けている状態を模式的に示す斜視図である。
【図１４】図１４（Ａ）は、バスバによって各々の電極タブの先端部を第１スペーサに向かって移動させる前の状態を模式的に断面で示す側面図、図１４（Ｂ）は、バスバによって各々の電極タブの先端部を第１スペーサに向かって移動させた後の状態を模式的に断面で示す側面図である。
【図１５】図１３および図１４に引き続き、バスバユニットのバスバを単電池の電極タブに対してレーザ溶接している状態を模式的に示す斜視図である。
【図１６】積層した単電池の電極タブにバスバをレーザ接合している状態の要部を断面で示す側面図である。
【図１７】図１５および図１６に引き続き、アノード側ターミナルおよびカソード側ターミナルをアノード側バスバおよびカソード側バスバに対してレーザ溶接している状態を模式的に示す斜視図である。
【図１８】図１７に引き続き、バスバユニットに保護カバーを取り付けている状態を模式的に示す斜視図である。
【発明を実施するための形態】
【００１１】
以下、添付した図面を参照しながら、本発明の実施形態を説明する。図面の説明において同一の要素には同一の符号を付し、重複する説明を省略する。図面における各部材の大きさや比率は、説明の都合上誇張され実際の大きさや比率とは異なる場合がある。図中において、Ｘ、Ｙ、およびＺで表す矢印を用いて、方位を示している。Ｘによって表す矢印の方向は、単電池１１０の積層方向と交差し、かつ、単電池１１０の長手方向に沿った方向を示している。Ｙによって表す矢印の方向は、単電池１１０の積層方向と交差し、かつ、単電池１１０の短手方向に沿った方向を示している。Ｚによって表す矢印の方向は、単電池１１０の積層方向を示している。
【００１２】
まず、実施形態の組電池１００を図１〜図９を参照しつつ説明する。
【００１３】
図１は、実施形態に係る組電池１００を示す斜視図である。図２は、図１に示される組電池１００から上部加圧板１５１と下部加圧板１５２および左右の側板１５３を分解して保護カバー１４０を取り付けた状態の積層体１００Ｓ全体を露出させた状態を示す斜視図である。図３は、図２に示される積層体１００Ｓから保護カバー１４０を取り外し、かつ、積層体１００Ｓを電池群１００Ｇとバスバユニット１３０に分解して示す斜視図である。図４は、図３に示されるバスバユニット１３０を分解して示す斜視図である。図５は、第１セルサブアッシ１００Ｍ（３組毎に並列接続する単電池１１０）のアノード側電極タブ１１３Ａと第２セルサブアッシ１００Ｎ（３組毎に並列接続する単電池１１０）のカソード側電極タブ１１３Ｋをバスバ１３１によって接合する状態を模式的に分解して示す斜視図である。図６（Ａ）は、単電池１１０に一対のスペーサ１２０（第１スペーサ１２１および第２スペーサ１２２）を取り付けた状態を示す斜視図、図６（Ｂ）は、単電池１１０に一対のスペーサ１２０（第１スペーサ１２１および第２スペーサ１２２）を取り付ける前の状態を示す斜視図である。図７は、一対のスペーサ１２０（第１スペーサ１２１および第２スペーサ１２２）を示す斜視図である。図８（Ａ）は、積層した単電池１１０の電極タブ１１３にバスバ１３１を接合した状態の要部を断面で示す斜視図、図８（Ｂ）は、図８（Ａ）を側方から示す側面図である。図９は、図８（Ｂ）中に示す領域９を拡大した側面図である。
【００１４】
なお、図１に示される状態おいて、左手前側を組電池１００全体および各構成部品の「前面側」といい、右手奥側を組電池１００全体および各構成部品の「背面側」といい、右手前側および左手奥側を組電池１００全体および各構成部品の左右の「側方側」という。
【００１５】
図１および図２に示すように、組電池１００は、扁平形状を有する単電池１１０を厚み方向に複数枚積層した電池群１００Ｇ含む積層体１００Ｓを有する。組電池１００はさらに、積層体１００Ｓの前面側に取り付けられる保護カバー１４０と、単電池１１０の積層方向に沿ってそれぞれの単電池１１０を加圧した状態において積層体１００Ｓを収容する筐体１５０と、を有する。図３に示すように、積層体１００Ｓは、電池群１００Ｇと、電池群１００Ｇの前面側に取り付けられ複数個のバスバ１３１を一体的に保持するバスバユニット１３０と、を有する。保護カバー１４０は、バスバユニット１３０を被覆して保護する。図４に示すように、バスバユニット１３０は、複数個のバスバ１３１と、複数個のバスバ１３１をマトリクス状に一体的に取り付けるバスバホルダ１３２と、を有する。複数のバスバ１３１のうち、アノード側の終端にはアノード側ターミナル１３３を取り付け、カソード側の終端にはカソード側ターミナル１３４を取り付けている。
【００１６】
実施形態の組電池１００は、概説すれば、電池群１００Ｇと、バスバ１３１と、スペーサ（第１スペーサ１２１）と、を有する。電池群１００Ｇは、発電要素１１１を含み扁平に形成した電池本体１１０Ｈと、電池本体１１０Ｈから導出した電極タブ１１３と、を備えた単電池１１０を、その厚み方向に複数枚積層してなり、電極タブ１１３の先端部１１３ｄが単電池１１０の積層方向Ｚに沿って屈折されている。バスバ１３１は、平板状からなり、単電池１１０の電極タブ１１３の先端部１１３ｄに向かい合った状態で先端部１１３ｄに接合し、少なくとも２つの単電池１１０の電極タブ１１３同士を電気的に接続する。第１スペーサ１２１は、積層した単電池１１０の電極タブ１１３同士の間に配設する。電極タブ１１３は、基端部１１３ｃに積層方向Ｚに沿って開口した孔１１３ｅを備えた。第１スペーサ１２１は、電極タブ１１３にバスバ１３１と反対側から当接して電極タブ１１３の先端部１１３ｄを支持する支持部１２１ｊと、電極タブ１１３の孔１１３ｅに挿通して電極タブ１１３をガイドするリブ１２１ｒと、を備えた。以下、実施形態の組電池１００について詳述する。
【００１７】
図５に示すように、電池群１００Ｇは、電気的に並列接続した３つの単電池１１０からなる第１セルサブアッシ１００Ｍと、電気的に並列接続した別の３つの単電池１１０からなる第２セルサブアッシ１００Ｎと、をバスバ１３１によって直列に接続して構成している。
【００１８】
第１セルサブアッシ１００Ｍおよび第２セルサブアッシ１００Ｎは、単電池１１０の電極タブ１１３の先端部１１３ｄの屈折方向を除いて同一の構成である。具体的には、第２セルサブアッシ１００Ｎは、第１セルサブアッシ１００Ｍに含まれる単電池１１０の天地を逆転させたものである。但し、第２セルサブアッシ１００Ｎの電極タブ１１３の先端部１１３ｄの屈折方向は、第１セルサブアッシ１００Ｍの電極タブ１１３の先端部１１３ｄの屈折方向と、同一になるように積層方向Ｚの下方の側に揃えている。各々の単電池１１０は、一対のスペーサ１２０（第１スペーサ１２１および第２スペーサ１２２）を取り付けている。
【００１９】
単電池１１０は、例えば、扁平なリチウムイオン二次電池に相当する。単電池１１０は、図６および図８に示すように、発電要素１１１を一対のラミネートフィルム１１２によって封止した電池本体１１０Ｈと、発電要素１１１に電気的に接続され電池本体１１０Ｈから外部に導出された薄板状の電極タブ１１３と、を備えている。
【００２０】
発電要素１１１は、正極と負極をセパレータで挟持したものを複数枚積層して構成している。発電要素１１１は、外部から電力の供給を受けて充電した上で、外部の電気デバイスに対して放電しつつ電力を供給する。
【００２１】
ラミネートフィルム１１２は、絶縁性を備えたシートによって金属箔の両側を覆って構成している。一対のラミネートフィルム１１２は、発電要素１１１を積層方向Ｚに沿った両側から被覆して、その四辺を封止している。一対のラミネートフィルム１１２は、図６に示すように、短手方向Ｙに沿った一端部１１２ａの間から外部に向かって、アノード側電極タブ１１３Ａおよびカソード側電極タブ１１３Ｋを導出させている。
【００２２】
ラミネートフィルム１１２は、図６および図７に示すように、短手方向Ｙに沿った一端部１１２ａの両端にそれぞれ備えた一対の連結孔１１２ｅに、第１スペーサ１２１の一対の連結ピン１２１ｉをそれぞれ挿通させている。一方、ラミネートフィルム１１２は、短手方向Ｙに沿った他端部１１２ｂの両端にそれぞれ備えた一対の連結孔１１２ｅに、一対の連結ピン１２２ｉをそれぞれ挿通させている。ラミネートフィルム１１２は、長手方向Ｘに沿った両端部１１２ｃおよび１１２ｄを、積層方向Ｚの上方に向かって折り曲げて形成している。
【００２３】
電極タブ１１３は、図６、図８、および図９に示すように、アノード側電極タブ１１３Ａおよびカソード側電極タブ１１３Ｋから構成し、それぞれ一対のラミネートフィルム１１２の一端部１１２ａの間から互いに離間した状態において外部に向かって延在している。アノード側電極タブ１１３Ａは、発電要素１１１中のアノード側の構成部材の特性に合わせて、アルミニウムからなる。カソード側電極タブ１１３Ｋは、発電要素１１１中のカソード側の構成部材の特性に合わせて、銅からなる。
【００２４】
電極タブ１１３は、図８および図９に示すように、電池本体１１０Ｈと隣接する基端部１１３ｃから先端部１１３ｄにかけてＬ字状に形成している。具体的には、電極タブ１１３は、その基端部１１３ｃから長手方向Ｘの一方に沿って延在している。一方、電極タブ１１３の先端部１１３ｄは、積層方向Ｚの下方に沿って屈折して形成している。電極タブ１１３の先端部１１３ｄの形状は、Ｌ字形状に限定されない。電極タブ１１３の先端部１１３ｄは、バスバ１３１と対面するように面状に形成している。電極タブ１１３は、先端部１１３ｄをさらに延在させ、その延在部分を基端部１１３ｃに沿って電池本体１１０Ｈ側に折り返すようにして、Ｕ字形状に形成してもよい。一方、電極タブ１１３の基端部１１３ｃは、波状に形成したり湾曲形状に形成したりしてもよい。
【００２５】
各々の電極タブ１１３の先端部１１３ｄは、複数枚積層した単電池１１０において、図５および図８に示すように、積層方向Ｚの下方に揃えて屈折させている。ここで、組電池１００は、図５に示すように、電気的に並列接続した３つの単電池１１０（第１セルサブアッシ１００Ｍ）と、電気的に並列接続した別の３つの単電池１１０（第２セルサブアッシ１００Ｎ）を、直列に接続している。したがって、３つの単電池１１０毎に、その単電池１１０の天地を入れ替えて、単電池１１０のアノード側電極タブ１１３Ａとカソード側電極タブ１１３Ｋの位置を、積層方向Ｚに沿って交差させるようにしている。
【００２６】
但し、３つの単電池１１０毎の天地を単純に入れ替えただけでは、電極タブ１１３の先端部１１３ｄの位置が積層方向Ｚに沿った上下方向にばらついてしまうため、全ての単電池１１０の電極タブ１１３の先端部１１３ｄの位置が揃うように調整して屈折させている。
【００２７】
電極タブ１１３は、図８および図９に示すように、基端部１１３ｃに積層方向Ｚに沿って開口した孔１１３ｅを備えている。孔１１３ｅは、電極タブ１１３の長手方向Ｘに沿って長尺形状に形成している。孔１１３ｅは、図９に示すように、電極タブ１１３の基端部１１３ｃから先端部１１３ｄまで延在している。電極タブ１１３は、第１スペーサ１２１のリブ１２１ｒを孔１１３ｅに挿通させた状態において、孔１１３ｅの長手方向Ｘに沿った一端１１３ｆと他端１１３ｇの範囲内において移動自在である。
【００２８】
図５の下方に図示した第１セルサブアッシ１００Ｍは、図中の右側にアノード側電極タブ１１３Ａを配置し、図中の左側にカソード側電極タブ１１３Ｋを配置している。一方、図５の上方に図示した第２セルサブアッシ１００Ｎは、図中の右側にカソード側電極タブ１１３Ｋを配置し、図中の左側にアノード側電極タブ１１３Ａを配置している。
【００２９】
このように、アノード側電極タブ１１３Ａとカソード側電極タブ１１３Ｋの配置が異なっていても、単電池１１０の電極タブ１１３の先端部１１３ｄは積層方向Ｚに沿った下方に屈折している。また、各々の電極タブの１１３の先端部１１３ｄは、図３に示すように、積層体１００Ｓの同一面の側に配設している。第１セルサブアッシ１００Ｍおよび第２セルサブアッシ１００Ｎの上面に位置する単電池１１０には、上方に積層する積層部材と接着する両面テープ１６０を貼り付けている。
【００３０】
一対のスペーサ１２０（第１スペーサ１２１および第２スペーサ１２２）は、図３、図５、および図８に示すように、積層した単電池１１０の間に配設している。第１スペーサ１２１は、図６に示すように、単電池１１０の電極タブ１１３を突出させたラミネートフィルム１１２の一端部１１２ａに沿って配設している。第２スペーサ１２２は、図６に示すように、ラミネートフィルム１１２の他端部１１２ｂに沿って配設している。第２スペーサ１２２は、第１スペーサ１２１の形状を簡略した構成からなる。各々の単電池１１０は、一対のスペーサ１２０（第１スペーサ１２１および第２スペーサ１２２）を取り付けた上で、積層方向Ｚに沿って複数枚積層する。一対のスペーサ１２０（第１スペーサ１２１および第２スペーサ１２２）は、絶縁性を備えた強化プラスチックスからなる。以下、第１スペーサ１２１の構成について説明した後に、第２スペーサ１２２の構成について第１スペーサ１２１の構成と比較しつつ説明する。
【００３１】
第１スペーサ１２１は、図６および図７に示すように、短手方向Ｙに沿って長尺な直方体形状から形成している。第１スペーサ１２１は、その長手方向（短手方向Ｙ）の両端に載置部１２１Ｍおよび１２１Ｎを備えている。
【００３２】
第１スペーサ１２１は、図８（Ｂ）に示すように、単電池１１０に取り付けた状態で積層したとき、一の第１スペーサ１２１の載置部１２１Ｍおよび１２１Ｎの上面１２１ａと、当該一の第１スペーサ１２１の上方に配設された他の第１スペーサ１２１の載置部１２１Ｍおよび１２１Ｎの下面１２１ｂが、当接する。
【００３３】
第１スペーサ１２１は、図７および図８（Ｂ）に示すように、複数枚積層する単電池１１０の相対的な位置決めを行うために、一の第１スペーサ１２１の上面１２１ａに備えられた位置決ピン１２１ｃと、他の第１スペーサ１２１の下面１２１ｂに開口し位置決ピン１２１ｃの位置に対応した位置決穴１２１ｄを、嵌合させる。
【００３４】
第１スペーサ１２１は、図７に示すように、積層方向Ｚに沿って連結する複数の組電池１００同士を連結するボルトを挿通するためにロケート孔１２１ｅを、積層方向Ｚに沿って載置部１２１Ｍおよび１２１Ｎにそれぞれ開口している。
【００３５】
第１スペーサ１２１は、図６（Ｂ）および図７に示すように、載置部１２１Ｍおよび１２１Ｎの間の領域を積層方向Ｚの上側から切り欠いたように形成している。当該切り欠いた部分は、第１スペーサ１２１の長手方向（単電池１１０の短手方向Ｙ）に沿って第１支持面１２１ｇおよび第２支持面１２１ｈを備えている。第１支持面１２１ｇは、第２支持面１２１ｈよりも積層方向Ｚに沿って高く形成し、かつ、単電池１１０側に位置している。
【００３６】
第１スペーサ１２１は、図６に示すように、第１支持面１２１ｇによって、電極タブ１１３を突出させたラミネートフィルム１１２の一端部１１２ａを載置して支持している。第１スペーサ１２１は、第１支持面１２１ｇの両端から上方に突出した一対の連結ピン１２１ｉを備えている。
【００３７】
第１スペーサ１２１は、図８および図９に示すように、電極タブ１１３にバスバ１３１と反対側から当接して単電池１１０の電極タブ１１３の先端部１１３ｄを支持する支持部１２１ｊを、第２支持面１２１ｈと隣接し、積層方向Ｚに沿った側面に備えている。第１スペーサ１２１の支持部１２１ｊは、バスバ１３１と共に電極タブ１１３の先端部１１３ｄを挟持して、先端部１１３ｄとバスバ１３１が互いに十分に当接するようにしている。
【００３８】
第１スペーサ１２１は、図６〜図９に示すように、電極タブ１１３の孔１１３ｅに挿通して電極タブ１１３をガイドする一対のリブ１２１ｒを、第２支持面１２１ｈに備えている。リブ１２１ｒは、電極タブ１１３の孔１１３ｅを介して、電極タブ１１３の位置を規制しつつ電極タブ１１３の移動をガイドする。第１スペーサ１２１は、図９に示すように、電極タブ１１３の先端部１１３ｄと基端部１１３ｃとの境界（第２支持面１２１ｈと支持部１２１ｊとの境界）に対応する部分に、アール形状部１２１ｔを備えている。
【００３９】
第２スペーサ１２２は、図６および図７に示すように、第１スペーサ１２１の形状を簡略した構成からなる。第２スペーサ１２２は、第１スペーサ１２１の一部を単電池１１０の短手方向Ｙに沿って削除した構成に相当する。具体的には、第２スペーサ１２２は、第１スペーサ１２１の第２支持面１２１ｈおよび第１支持面１２１ｇを支持面１２２ｋに置き換えて構成している。具体的に、第２スペーサ１２２は、第１スペーサ１２１と同様に、載置部１２２Ｍおよび１２２Ｎを備えている。第２スペーサ１２２は、載置部１２２Ｍおよび１２２Ｎの間の領域を積層方向Ｚの上側から切り欠いた部分に、支持面１２２ｋを備えている。支持面１２２ｋは、ラミネートフィルム１１２の他端部１１２ｂを載置して支持している。第２スペーサ１２２は、第１スペーサ１２１と同様に、位置決ピン１２２ｃ、位置決穴、ロケート孔１２２ｅ、および連結ピン１２２ｉを備えている。
【００４０】
バスバユニット１３０は、図３および図４に示すように、バスバ１３１を一体的に複数備えている。バスバ１３１は、導電性を備えた金属からなり、異なる単電池１１０の電極タブ１１３の先端部１１３ｄ同士を電気的に接続する。バスバ１３１は、平板状に形成し、積層方向Ｚに沿って起立している。
【００４１】
バスバ１３１は、一の単電池１１０のアノード側電極タブ１１３Ａとレーザ溶接するアノード側バスバ１３１Ａと、積層方向Ｚに沿って隣り合う他の単電池１１０のカソード側電極タブ１１３Ｋとレーザ溶接するカソード側バスバ１３１Ｋを、接合して一体的に構成している。
【００４２】
アノード側バスバ１３１Ａとカソード側バスバ１３１Ｋは、図４および図８に示すように、同一の形状からなり、それぞれＬ字状に形成している。アノード側バスバ１３１Ａとカソード側バスバ１３１Ｋは、天地を反転させて重ね合わせている。具体的には、バスバ１３１は、アノード側バスバ１３１Ａの積層方向Ｚに沿った一端部の屈折した部分と、カソード側バスバ１３１Ｋの積層方向Ｚに沿った一端部の屈折した部分を接合して、一体化している。アノード側バスバ１３１Ａとカソード側バスバ１３１Ｋは、図４に示すように、短手方向Ｙの一端から長手方向Ｘに沿って側部１３１ｃを備えている。側部１３１ｃは、バスバホルダ１３２に接合する。
【００４３】
アノード側バスバ１３１Ａは、アノード側電極タブ１１３Ａと同様に、アルミニウムからなる。カソード側バスバ１３１Ｋは、カソード側電極タブ１１３Ｋと同様に、銅からなる。異なる金属からなるアノード側バスバ１３１Ａとカソード側バスバ１３１Ｋは、超音波接合によって互いに接合している。
【００４４】
バスバ１３１は、図５に示すように、組電池１００が例えば３つの単電池１１０を並列接続したものを複数組にわたって直列接続して構成されたものである場合、アノード側バスバ１３１Ａの部分を、積層方向Ｚに沿って互いに隣接している３つの単電池１１０のアノード側電極タブ１１３Ａに対してレーザ溶接する。同様に、バスバ１３１は、カソード側バスバ１３１Ｋの部分を、積層方向Ｚに沿って互いに隣接している３つの単電池１１０のカソード側電極タブ１１３Ｋに対してレーザ溶接する。
【００４５】
但し、マトリクス状に配設したバスバ１３１のうち、図３および図４の図中右上に位置するバスバ１３１は、２１つの単電池１１０（３並列７直列）のアノード側の終端に相当し、アノード側バスバ１３１Ａのみから構成している。このアノード側バスバ１３１Ａは、電池群１００Ｇの最上部の３つの単電池１１０のアノード側電極タブ１１３Ａに対してレーザ接合する。同様に、マトリクス状に配設したバスバ１３１のうち、図３および図４の図中左下に位置するバスバ１３１は、２１つの単電池１１０（３並列７直列）のカソード側の終端に相当し、カソード側バスバ１３１Ｋのみから構成している。このカソード側バスバ１３１Ｋは、電池群１００Ｇの最下部の３つの単電池１１０のカソード側電極タブ１１３Ｋに対してレーザ接合する。
【００４６】
バスバホルダ１３２は、図３に示すように、複数のバスバ１３１を、複数枚積層した各々の単電池１１０の電極タブ１１３に対面するようにマトリクス状に一体的に保持している。バスバホルダ１３２は、絶縁性を備えた樹脂からなり、枠状に形成している。
【００４７】
バスバホルダ１３２は、図４に示すように、単電池１１０の電極タブ１１３を支持している方の第１スペーサ１２１の長手方向の両側に位置するように、積層方向Ｚに沿って起立した一対の支柱部１３２ａをそれぞれ備えている。一対の支柱部１３２ａは、第１スペーサ１２１の載置部１２１Ｍおよび１２１Ｎの側面に嵌合する。一対の支柱部１３２ａは、積層方向Ｚに沿って視認した場合にＬ字状であって、積層方向Ｚに沿って延在した板状に形成している。バスバホルダ１３２は、第１スペーサ１２１の長手方向の中央付近に位置するように、積層方向Ｚに沿って起立した一対の補助支柱部１３２ｂを離間させて備えている。一対の補助支柱部１３２ｂは、積層方向Ｚに沿って延在した板状に形成している。
【００４８】
バスバホルダ１３２は、図４に示すように、積層方向Ｚに沿って隣り合うバスバ１３１の間にそれぞれ突出する絶縁部１３２ｃを備えている。絶縁部１３２ｃは、短手方向Ｙに沿って延在した板状に形成している。各々の絶縁部１３２ｃは、支柱部１３２ａと補助支柱部１３２ｂとの間に水平に備えている。絶縁部１３２ｃは、積層方向Ｚに沿って隣り合う単電池１１０のバスバ１３１の間を絶縁することによって放電を防止する。
【００４９】
バスバホルダ１３２は、それぞれ独立して形成した支柱部１３２ａと補助支柱部１３２ｂおよび絶縁部１３２ｃを互いに接合して構成してもよいし、支柱部１３２ａと補助支柱部１３２ｂおよび絶縁部１３２ｃを一体的に成形して構成してもよい。
【００５０】
アノード側ターミナル１３３は、図３及び図４に示すように、第１セルサブアッシ１００Ｍと第２セルサブアッシ１００Ｎを交互に積層して構成した電池群１００Ｇのアノード側の終端に相当する。
【００５１】
アノード側ターミナル１３３は、図３および図４に示すように、マトリクス状に配設したバスバ１３１のうち、図中右上に位置するアノード側バスバ１３１Ａに接合する。アノード側ターミナル１３３は、導電性を備えた金属板からなり、短手方向Ｙに沿って視認した場合、中央部１３３ａを基準にして、一端部１３３ｂと他端部１３３ｃを積層方向Ｚに沿って異なる方向に屈折させた形状からなる。一端部１３３ｂは、アノード側バスバ１３１Ａにレーザ接合する。他端部１３３ｃは、その中央に開口した孔１３３ｄ（ネジ溝を含む）に、外部の入出力端子を接続させる。
【００５２】
カソード側ターミナル１３４は、図３および図４に示すように、第１セルサブアッシ１００Ｍと第２セルサブアッシ１００Ｎを交互に積層して構成した電池群１００Ｇのカソード側の終端に相当する。カソード側ターミナル１３４は、図３および図４に示すように、マトリクス状に配設したバスバ１３１のうち、図中左下に位置するカソード側バスバ１３１Ｋに接合する。カソード側ターミナル１３４は、アノード側ターミナル１３３と同様の構成からなる。
【００５３】
保護カバー１４０は、図１〜図３に示すように、バスバユニット１３０を被覆することによって、バスバ１３１同士が短絡したり、バスバ１３１が外部の部材に接触して短絡したり漏電したりすることを防止する。さらに、保護カバー１４０は、アノード側ターミナル１３３およびカソード側ターミナル１３４を外部に臨ませて、各々の単電池１１０の発電要素１１１に充放電をさせる。保護カバー１４０は、絶縁性を備えたプラスチックスからなる。
【００５４】
保護カバー１４０は、図３に示すように、平板状に形成し、積層方向Ｚに沿って起立している。保護カバー１４０は、その側面１４０ａの上端１４０ｂと下端１４０ｃを長手方向Ｘに沿って屈折した形状からなり、バスバユニット１３０に嵌合させる。
【００５５】
保護カバー１４０の側面１４０ａは、図２および図３に示すように、バスバユニット１３０に備えられたアノード側ターミナル１３３に対応する位置に、当該アノード側ターミナル１３３よりも若干大きい矩形状の孔からなる第１開口１４０ｄを備えている。同様に、保護カバー１４０の側面１４０ａは、バスバユニット１３０に備えられたカソード側ターミナル１３４に対応する位置に、当該カソード側ターミナル１３４よりも若干大きい矩形状の孔からなる第２開口１４０ｅを備えている。
【００５６】
筐体１５０は、図１と図２に示すように、電池群１００Ｇを積層方向に沿って加圧した状態において収容している。上部加圧板１５１および下部加圧板１５２によって、電池群１００Ｇに備えられた各々の単電池１１０の発電要素１１１を挟持しつつ加圧することによって、発電要素１１１に適正な面圧を与える。
【００５７】
上部加圧板１５１は、図１と図２に示すように、電池群１００Ｇの積層方向Ｚに沿った上方に配設している。上部加圧板１５１は、積層方向Ｚに沿って下方に突出した加圧面１５１ａを、中央に備えている。加圧面１５１ａによって、各々の単電池１１０の発電要素１１１を下方に押圧する。上部加圧板１５１は、短手方向Ｙに沿った両側から、長手方向Ｘに沿って延在した保持部１５１ｂを備えている。保持部１５１ｂは、第１スペーサ１２１の載置部１２１Ｍおよび１２１Ｎ、または第２スペーサ１２２の載置部１２２Ｍおよび１２２Ｎを被覆する。保持部１５１ｂの中央には、第１スペーサ１２１の位置決穴１２１ｄまたは第２スペーサ１２２の位置決穴１２２ｄと積層方向Ｚに沿って連通するロケート孔１５１ｃが開口している。ロケート孔１５１ｃは、組電池１００同士を連結するボルトを挿通する。上部加圧板１５１は、十分な厚みを備えた金属板からなる。
【００５８】
下部加圧板１５２は、図１と図２に示すように、上部加圧板１５１と同一の構成からなり、上部加圧板１５１の天地を逆転させている。下部加圧板１５２は、電池群１００Ｇの積層方向Ｚに沿った下方に配設している。下部加圧板１５２は、積層方向Ｚに沿って上方に突出した加圧面１５１ａによって、各々の単電池１１０の発電要素１１１を上方に押圧する。
【００５９】
一対の側板１５３は、図１と図２に示すように、電池群１００Ｇを積層方向Ｚの上下から挟持しつつ加圧している上部加圧板１５１および下部加圧板１５２が互いに離間しないように、上部加圧板１５１および下部加圧板１５２の相対位置を固定する。側板１５３は、矩形状の金属板からなり、積層方向Ｚに沿って起立している。一対の側板１５３は、上部加圧板１５１および下部加圧板１５２に対して電池群１００Ｇの短手方向Ｙの両側からレーザ溶接によって接合する。各々の側板１５３は、上部加圧板１５１と当接している上端１５３ａの部分に対して、長手方向Ｘに沿って、シーム溶接またはスポット溶接がなされる。同様に、各々の側板１５３は、下部加圧板１５２と当接している下端１５３ｂの部分に対して、長手方向Ｘに沿って、シーム溶接またはスポット溶接がなされる。一対の側板１５３は、電池群１００Ｇの短手方向Ｙの両側を被覆して保護する。
【００６０】
つぎに、組電池１００の製造方法を図１０〜図１８を参照しつつ説明する。
【００６１】
組電池１００の製造方法（製造工程）は、組電池１００を構成する部材を積層する積層工程（図１０）、組電池１００の電池群１００Ｇを加圧する加圧工程（図１１）、側板１５３を上部加圧板１５１および下部加圧板１５２に接合する第１接合工程（図１２）、バスバ１３１を単電池１１０の電極タブ１１３に接合し、かつ、ターミナルをバスバ１３１に接合する第２接合工程（図１３〜図１７）、および保護カバー１４０をバスバ１３１に対して取り付ける実装工程（図１８）を備えている。
【００６２】
組電池１００を構成する部材を積層する積層工程について図１０を参照しつつ説明する。
【００６３】
図１０は、実施形態に係る組電池１００の製造方法を示す図であって、組電池１００を構成する部材を載置台７０１に対して順に積層している状態を模式的に示す斜視図である。
【００６４】
積層工程に用いる載置台７０１は、板状に形成し、水平面に沿って設けている。載置台７０１は、順に積層する下部加圧板１５２、第１セルサブアッシ１００Ｍ、第２セルサブアッシ１００Ｎ、および上部加圧板１５１の長手方向Ｘおよび短手方向Ｙに沿った相対的な位置を合わせる位置決め用のロケートピン７０２を備えている。ロケートピン７０２は、載置台７０１の上面７０１ａに、所定の間隔を隔てて４本起立している。４本のロケートピン７０２の互いの間隔は、例えば、上部加圧板１５１の４隅に備えられたロケート孔１５２ｃの互いの間隔に対応している。ロボットアーム、ハンドリフタ、および真空吸着タイプのコレット等を用いて、組電池１００を構成する部材を積層する。
【００６５】
積層工程では、図１０に示すように、ロボットアームによって、下部加圧板１５２を、その四隅に設けたロケート孔１５２ｃがロケートピン７０２に挿入された状態において、積層方向Ｚに沿って降下させつつ、載置台７０１の上面７０１ａに載置する。次に、ロボットアームによって、第１セルサブアッシ１００Ｍを、その構成部材の第１スペーサ１２１および第２スペーサ１２２に備えたロケート孔がロケートピン７０２に挿入された状態において、積層方向Ｚに沿って降下させつつ、下部加圧板１５２に積層する。同様に、ロボットアームによって、第２セルサブアッシ１００Ｎと第１セルサブアッシ１００Ｍを、交互に３組ずつ積層する。第１セルサブアッシ１００Ｍおよび第２セルサブアッシ１００Ｎの上面には、上方に積層する積層部材と接着する両面テープ１６０を貼り付けている。その後、ロボットアームによって、上部加圧板１５１を、その四隅に設けたロケート孔１５１ｃがロケートピン７０２に挿入された状態において、積層方向Ｚに沿って降下させつつ、第１セルサブアッシ１００Ｍに積層する。
【００６６】
組電池１００の電池群１００Ｇを加圧する加圧工程について図１１を参照しつつ説明する。
【００６７】
図１１は、図１０に引き続き、組電池１００の構成部材を上方から押圧している状態を模式的に示す斜視図である。
【００６８】
加圧工程に用いる加圧治具７０３は、板状に形成し水平面に沿って設けた加圧部７０３ａと、円柱形状に形成し加圧部７０３ａの上面に起立させて接合した支持部７０３ｂを備えている。支持部７０３ｂは、積層方向Ｚに沿って駆動する電動ステージや油圧シリンダを連結している。加圧部７０３ａは、支持部７０３ｂを介して、積層方向Ｚに沿って下方および上方に移動する。加圧部７０３ａは、当接した積層部材を加圧する。
【００６９】
加圧工程では、図１１に示すように、加圧治具７０３の加圧部７０３ａは、支持部７０３ｂに連結した電動ステージが駆動することによって、上部加圧板１５１に当接しつつ積層方向Ｚの下方に沿って降下する。下方に沿って押圧された上部加圧板１５１と、載置台７０１に載置された下部加圧板１５２によって、電池群１００Ｇを挟持しつつ加圧する。電池群１００Ｇに備えられた各々の単電池１１０の発電要素１１１は、適正な面圧が与えられる。加圧工程は、次の第１接合工程が完了するまで継続する。
【００７０】
側板１５３を上部加圧板１５１および下部加圧板１５２に接合する第１接合工程について図１２を参照しつつ説明する。
【００７１】
図１２は、図１１に引き続き、側板１５３を上部加圧板１５１および下部加圧板１５２に対してレーザ溶接している状態を模式的に示す斜視図である。
【００７２】
第１接合工程に用いる押板７０４は、側板１５３を上部加圧板１５１および下部加圧板１５２に対してそれぞれ押圧して、側板１５３を上部加圧板１５１および下部加圧板１５２にそれぞれ密着させる。押板７０４は、金属からなり、長尺な板形状に形成している。押板７０４は、本体７０４ａに長手方向に沿って直線状のスリット７０４ｂを開口している。押板７０４は、積層方向Ｚに沿って、その短手方向を起立させている。押板７０４は、本体７０４ａによって側板１５３を押圧しつつ、スリット７０４ｂによって溶接用のレーザ光Ｌ１を通過させる。
【００７３】
レーザ発振器７０５は、側板１５３を上部加圧板１５１および下部加圧板１５２に接合する光源である。レーザ発振器７０５は、例えば、ＹＡＧ（イットリウム・アルミニウム・ガーネット）レーザから構成する。レーザ発振器７０５から導出したレーザ光Ｌ１は、例えば、光ファイバーやミラーによって光路を調整し、集光レンズによって集光した状態において、側板１５３の上端１５３ａと下端１５３ｂに対して照射する。レーザ発振器７０５から導出したレーザ光Ｌ１は、例えば、ハーフミラーによって分岐させて、側板１５３の上端１５３ａおよび下端１５３ｂに対して同時に照射する構成としてもよい。
【００７４】
第１接合工程では、図１２に示すように、レーザ発振器７０５が、押板７０４によって押圧された側板１５３の上端１５３ａに対して、押板７０４のスリット７０４ｂを介してレーザ光Ｌ１を水平に走査し、側板１５３と上部加圧板１５１を複数箇所にわたりシーム溶接して接合する。同様に、レーザ発振器７０５は、押板７０４によって押圧された側板１５３の下端１５３ｂに対して、押板７０４のスリット７０４ｂを介してレーザ光Ｌ１を水平に走査し、側板１５３と下部加圧板１５２を複数箇所にわたりシーム溶接して接合する。
【００７５】
バスバ１３１を単電池１１０の電極タブ１１３に接合し、かつ、ターミナルをバスバ１３１に接合する第２接合工程について図１３〜図１７を参照しつつ説明する。
【００７６】
図１３は、図１２に引き続き、電池群１００Ｇにバスバユニット１３０の一部の部材を取り付けている状態を模式的に示す斜視図である。図１４（Ａ）は、バスバ１３１によって各々の電極タブ１１３の先端部１１３ｄを第１スペーサ１２１に向かって移動させる前の状態を模式的に断面で示す側面図、図１４（Ｂ）は、バスバ１３１によって各々の電極タブ１１３の先端部１１３ｄを第１スペーサ１２１に向かって移動させた後の状態を模式的に断面で示す側面図である。図１５は、図１３および図１４に引き続き、バスバユニット１３０のバスバ１３１を単電池１１０の電極タブ１１３に対してレーザ溶接している状態を模式的に示す斜視図である。図１６は、積層した単電池１１０の電極タブ１１３にバスバ１３１をレーザ接合している状態の要部を断面で示す側面図である。図１７は、図１５および図１６に引き続き、アノード側ターミナル１３３およびカソード側ターミナル１３４をアノード側バスバ１３１Ａおよびカソード側バスバ１３１Ｋに対してレーザ溶接している状態を模式的に示す斜視図である。
【００７７】
第２接合工程では、図１２から図１３に示すように、載置台７０１が、図中の反時計回りに９０°回転して、電池群１００Ｇの電極タブ１１３とレーザ発振器７０５を対面させる。さらに、各々のバスバ１３１が一体的に保持されたバスバホルダ１３２を、ロボットアームによって、電池群１００Ｇの対応する電極タブ１１３に当接させつつ押圧し続ける。
【００７８】
ここで、図１４（Ａ）に模式的に示すように、各々の電極タブ１１３の先端部１１３ｄの位置は、積層方向Ｚと交差した方向（長手方向Ｘ）に沿って相対的にずれている。図示している３つの電極タブ１１３のうち中央の電極タブ１１３は、その先端部１１３ｄが、対応する第１スペーサ１２１の支持部１２１ｊに当接している。一方、図示している３つの電極タブ１１３のうち上部および下部の各々の電極タブ１１３は、その各々の先端部１１３ｄが、対応する各々の第１スペーサ１２１の支持部１２１ｊから離間している。上部の電極タブ１１３と下部の電極タブ１１３は、その先端部１１３ｄと第１スペーサ１２１の支持部１２１ｊとの間隔が異なる。
【００７９】
図１４（Ｂ）に示すように、バスバ１３１を長手方向Ｘに沿って移動させて、各々の電極タブ１１３の先端部１１３ｄを、対応する各々の第１スペーサ１２１の支持部１２１ｊに押圧する。３つの電極タブ１１３のうち上部および下部の各々の電極タブ１１３は、第１スペーサ１２１に向かって移動する際に、その各々の基端部１１３ｃが若干湾曲する。この状態において、溶接用のレーザ光Ｌ１をバスバ１３１に対して照射して、バスバ１３１と各々の電極タブ１１３の先端部１１３ｄとを溶接する。ここで、予め各々の単電池１１０をバスバ１３１側に若干移動させておいた上で、バスバ１３１によって各々の電極タブ１１３を第１スペーサ１２１側に十分に付勢しつつ押圧する構成とすることもできる。
【００８０】
図１５および図１６に示すように、レーザ発振器７０５は、バスバ１３１にレーザ光Ｌ１を照射して、バスバ１３１と電極タブ１１３の先端部１１３ｄをシーム溶接またはスポット溶接して接合する。その後、図１７に示すように、アノード側ターミナル１３３を、マトリクス状に配設したバスバ１３１のうち、アノード側の終端に相当するアノード側バスバ１３１Ａ（図４中右上）に接合する。同様に、カソード側ターミナル１３４を、マトリクス状に配設したバスバ１３１のうち、カソード側の終端に相当するカソード側バスバ１３１Ｋ（図４中左下）に接合する。
【００８１】
保護カバー１４０をバスバ１３１に対して取り付ける実装工程について図１８を参照しつつ説明する。
【００８２】
図１８は、図１７に引き続き、保護カバー１４０をバスバユニット１３０に取り付けている状態を模式的に示す斜視図である。
【００８３】
実装工程では、ロボットアームを用いて、保護カバー１４０の上端１４０ｂと下端１４０ｃをバスバユニット１３０に嵌合させつつ、保護カバー１４０をバスバユニット１３０に取り付ける。保護カバー１４０の上端１４０ｂと下端１４０ｃは、バスバユニット１３０に対して接着剤によって接合してもよい。保護カバー１４０は、第１開口１４０ｄからアノード側ターミナル１３３を外部に臨ませ、かつ、第２開口１４０ｅからカソード側ターミナル１３４を外部に臨ませる。保護カバー１４０によってバスバユニット１３０を被覆して、バスバ１３１同士が短絡したり、バスバ１３１が外部の部材に接触して短絡したり漏電したりすることを防止する。製造が完了した組電池１００は、載置台７０１から取り外して、電池性能等を検査する検査工程に搬出する。
【００８４】
図１０〜図１８を参照しつつ説明した組電池１００の製造方法は、工程全般をコントローラによって制御する自動機、工程の一部を作業者が担う半自動機、または工程全般を作業者が担うマニュアル機のいずれの形態によって具現化してもよい。
【００８５】
上述した実施形態に係る組電池１００およびその組電池１００の製造方法によれば、以下の作用効果を奏する。
【００８６】
実施形態の組電池１００は、電池群１００Ｇと、バスバ１３１と、スペーサ（第１スペーサ１２１）と、を有する。電池群１００Ｇは、発電要素１１１を含み扁平に形成した電池本体１１０Ｈと、電池本体１１０Ｈから導出した電極タブ１１３と、を備えた単電池１１０を、その厚み方向に複数枚積層してなり、電極タブ１１３の先端部１１３ｄが単電池１１０の積層方向Ｚに沿って屈折されている。バスバ１３１は、平板状からなり、単電池１１０の電極タブ１１３の先端部１１３ｄに向かい合った状態で先端部１１３ｄに接合し、少なくとも２つの単電池１１０の電極タブ１１３同士を電気的に接続する。第１スペーサ１２１は、積層した単電池１１０の電極タブ１１３同士の間に配設する。電極タブ１１３は、基端部１１３ｃに積層方向Ｚに沿って開口した孔１１３ｅを備えた。第１スペーサ１２１は、電極タブ１１３にバスバ１３１と反対側から当接して電極タブ１１３の先端部１１３ｄを支持する支持部１２１ｊと、電極タブ１１３の孔１１３ｅに挿通して電極タブ１１３をガイドするリブ１２１ｒと、を備えた。
【００８７】
組電池１００の製造方法は、電池群１００Ｇと、バスバ１３１と、スペーサ（第１スペーサ１２１）と、を用いる。電池群１００Ｇは、発電要素１１１を含み扁平に形成した電池本体１１０Ｈと、電池本体１１０Ｈから導出した電極タブ１１３と、を備えた単電池１１０を、その厚み方向に複数枚積層してなり、電極タブ１１３の先端部１１３ｄが単電池１１０の積層方向Ｚに沿って屈折され、電極タブ１１３の基端部１１３ｃに孔１１３ｅが備えられている。バスバ１３１は、平板状からなり、単電池１１０の電極タブ１１３の先端部１１３ｄに向かい合った状態で先端部１１３ｄに接合し、少なくとも２つの単電池１１０の電極タブ１１３同士を電気的に接続する。第１スペーサ１２１は、積層する単電池１１０の電極タブ１１３同士の間に配設し、電極タブ１１３にバスバ１３１と反対側から当接して電極タブ１１３の先端部１１３ｄを支持する支持部１２１ｊと、孔１１３ｅに挿通して電極タブ１１３をガイドするリブ１２１ｒと、を備えた。この組電池１００の製造方法では、バスバ１３１と、各々の電極タブ１１３の先端部１１３ｄと、を積層方向Ｚと交差する方向に沿って相対的に移動させつつ、積層方向Ｚに沿って互いの位置を揃えた各々の支持部１２１ｊに対して各々の電極タブ１１３の先端部１１３ｄを当接させてから、バスバ１３１と、少なくとも２つの単電池１１０の電極タブ１１３の先端部１１３ｄと、を互いに溶接する。
【００８８】
このような構成の組電池１００および組電池１００の製造方法によれば、各々の電極タブ１１３の先端部１１３ｄに向かい合うようにバスバ１３１を配置し、第１スペーサ１２１のリブ１２１ｒによって電極タブ１１３の孔１１３ｅを介して電極タブ１１３の位置を規制しつつガイドする。このようにすれば、各々の単電池１１０の積層方向に交差した方向に沿った位置のばらつきに起因して、各々の電極タブ１１３の相対的な位置がずれていたとしても、各々の電極タブ１１３とバスバ１３１とを、各々の第１スペーサ１２１の支持部１２１ｊに沿って十分に接触させることができる。したがって、組電池１００および組電池１００の製造方法によれば、各々の単電池１１０の積層方向Ｚと交差した方向に沿った位置のばらつきに依存することなく、各々の単電池１１０の電極タブ１１３とバスバ１３１とを十分に導電させることができる。
【００８９】
特に、このような構成の組電池１００の製造方法によれば、第１スペーサ１２１のリブ１２１ｒを電極タブ１１３の孔１１３ｅに挿通した状態において、電極タブ１１３の位置を規制しつつガイドして、各々の単電池１１０の電極タブ１１３とバスバ１３１との位置を平面状に揃えることができる。このような組電池１００の製造方法によれば、レーザ溶接に代表される非接触式の入熱手法による溶接工法において重要とされる、非溶接物の隙間を安定させることができる。
【００９０】
さらに、電極タブ１１３の孔１１３ｅは、バスバ１３１に向かい合う方向（長手方向Ｘ）に沿って長尺形状に形成してなる。
【００９１】
このような構成によれば、電極タブ１１３が第１スペーサ１２１の支持部１２１ｊに向かって移動するときに、電極タブ１１３の孔１１３ｅが第１スペーサ１２１のリブ１２１ｒに干渉して電極タブ１１３が損傷することを防止できる。
【００９２】
また、このような構成によれば、組電池１００の運転時（充電または放電）において、電池本体１１０Ｈの膨張に起因して、電極タブ１１３が電池本体１１０Ｈの側に引き込まれるような場合に、電極タブ１１３の孔１１３ｅが第１スペーサ１２１のリブ１２１ｒに接触し難い。したがって、電池本体１１０Ｈの膨張に起因した電極タブ１１３の損傷を抑制することができる。
【００９３】
さらに、電極タブ１１３の孔１１３ｅは、先端部１１３ｄまで延在してなる。
【００９４】
このような構成によれば、各々の単電池１１０の積層方向と交差した方向に対する各々の電極タブ１１３の位置のばらつきを広く吸収して、第１スペーサ１２１のリブ１２１ｒによって電極タブ１１３の位置を規制しつつガイドすることができる。
【００９５】
さらに、第１スペーサ１２１は、電極タブ１１３の先端部１１３ｄと基端部１１３ｃとの境界に対面する部分をアール面取りして形成したアール形状部１２１ｔを備えてなる。
【００９６】
このような構成によれば、電極タブ１１３の積層方向Ｚに沿った寸法変化を、第１スペーサ１２１のアール形状部１２１ｔに生じた隙間によって吸収して、電極タブ１１３の先端部１１３ｄを第１スペーサ１２１の支持部１２１ｊに対して十分に当接させることができる。また、このような構成によれば、電極タブ１１３の屈折した部分の形状誤差や、第１スペーサ１２１の端部の形状誤差に依存することなく、電極タブ１１３の先端部１１３ｄを第１スペーサ１２１の支持部１２１ｊに対して十分に当接させることができる。
【００９７】
組電池１００の製造方法では、孔１１３ｅがバスバ１３１に向かい合う方向（長手方向Ｘ）に沿って長尺形状に形成されたバスバ１３１を用い、電極タブ１１３と第１スペーサ１２１とを当接させ、かつ、電極タブ１１３の孔１１３ｅの内周面と、第１スペーサ１２１のリブ１２１ｒの外周面と、を積層方向Ｚと交差した方向（長手方向Ｘ）に沿って当接させつつ、電極タブ１１３を移動させる。
【００９８】
このような構成によれば、電極タブ１１３を、第１スペーサ１２１のリブ１２１ｒに沿わせつつ、長手方向Ｘと短手方向Ｙによって形成される平面上において精度良く移動させることができる。したがって、各々の電極タブ１１３とバスバ１３１とを、各々の第１スペーサ１２１の支持部１２１ｊに精度良く接触させることができる。
【００９９】
そのほか、本発明は、特許請求の範囲に記載された構成に基づき様々な改変が可能であり、それらについても本発明の範疇である。
【符号の説明】
【０１００】
１００    組電池、
１００Ｓ  積層体、
１００Ｇ  電池群、
１００Ｍ  第１セルサブアッシ、
１００Ｎ  第２セルサブアッシ、
１１０  単電池、
１１０Ｈ  電池本体、
１１１    発電要素、
１１２    ラミネートフィルム、
１１３，１１３  電極タブ、
１１３Ａ  アノード側電極タブ、
１１３Ｋ  カソード側電極タブ、
１１３ｃ  基端部、
１１３ｄ  先端部、
１１３ｅ  孔、
１２０    一対のスペーサ、
１２１  第１スペーサ、
１２１ｊ  支持部、
１２１ｒ  リブ、
１２１ｔ  アール形状部、
１２２    第２スペーサ、
１３０    バスバユニット、
１３１    バスバ、
１３１Ａ  アノード側バスバ（第１バスバ）、
１３１Ｋ  カソード側バスバ（第２バスバ）、
１３２    バスバホルダ、
１３３    アノード側ターミナル、
１３４    カソード側ターミナル、
１４０    保護カバー、
１５０    筺体、
１５１    上部加圧板、
１５２    下部加圧板、
１５３    側板、
１５３ａ  上端、
１５３ｂ  下端、
１６０    両面テープ、
７０１    載置台、
７０２    ロケートピン、
７０３    加圧治具、
７０４    押板、
７０５    レーザ発振器、
Ｌ１      レーザ光、
Ｘ        （単電池１１０の積層方向と交差し、かつ、単電池１１０の）長手方向、
Ｙ        （単電池１１０の積層方向と交差し、かつ、単電池１１０の）短手方向、
Ｚ        （単電池１１０の）積層方向。
【図１】
0006667255.tif 000002
【図２】
0006667255.tif 000003
【図３】
0006667255.tif 000004
【図４】
0006667255.tif 000005
【図５】
0006667255.tif 000006
【図６】
0006667255.tif 000007
【図７】
0006667255.tif 000008
【図８】
0006667255.tif 000009
【図９】
0006667255.tif 000010
【図１０】
0006667255.tif 000011
【図１１】
0006667255.tif 000012
【図１２】
0006667255.tif 000013
【図１３】
0006667255.tif 000014
【図１４】
0006667255.tif 000015
【図１５】
0006667255.tif 000016
【図１６】
0006667255.tif 000017
【図１７】
0006667255.tif 000018
【図１８】
0006667255.tif 000019